(57)【要約】【課題】屋外使用のゴミ箱類は金属等で作られ重く取扱いが簡単でない為、軽く持ち運び易く且つ木等やフェンス類に簡単に固定保持し使用できる着脱簡単なゴミ箱の提供。【解決手段】帯状の厚紙で中空筒状の環状形状物３を作り、その側面部にヒモ穴４、切込み６、ガイド穴７を設けゴミ袋８保持用の枠２を形成。ヒモ穴４はゴミ箱を木等に縛り付ける紐状物５を通す為の穴で、環状形状物３の正面部に４個貫通。紐状物５は荷造り紐を２本、環状形状物３の内側から装着。切込み６はゴミ袋８を係止する為のもので、ヒモ穴４の所を避けて大略等間隔に細長のスリット状を４箇所に形成。ガイド穴７はゴミ袋８を切込み６へスムーズに係止させる為の穴で、各切込み６の中央部に貫通。こうして形成の枠２の内側へゴミ袋８を挿入装着しごみ箱を形成。ゴミ袋８の上端部は折返しておき枠２を覆う。その折返し部分を切込み６へ食込む様に挟込ませ装着しゴミ箱を形成。【選択図】図４
2008069007.tif 000002
【特許請求の範囲】
【請求項１】
帯状のシート状物９を中空筒状の環状形状物３に形成し、該環状形状物３にゴミ袋８を係止する為のスリット状の切込み６、並びに該切込み６に連接させガイド穴７を設けた事を特徴とするゴミ袋保持用枠。
【請求項２】
上記環状形状物３の側面部に、ゴミ箱１を固定保持する為の紐状物５を通すヒモ穴４を設けた事を特徴とする請求項１に記載のゴミ袋保持用枠。
【請求項３】
上記帯状のシート状物９を中空筒状の環状形状物３に形成するに際し、該シート状物９の両端部を接合せず切離した状態のままで中空筒状の環状形状物３を形成し、該環状形状物３の大きさが可変となる様にした事を特徴とする請求項１及び請求項２に記載のゴミ袋保持用枠。
【請求項４】
ゴミ箱１をゴミ袋保持用の枠２とゴミ袋８とから形成する場合、該枠２は該ゴミ袋８の上端開口部分に装着するが、該ゴミ袋８の下部外周部分にも装着する事を特徴とした請求項１から請求項３に記載のゴミ袋保持用枠。
【発明の詳細な説明】
【技術分野】
【０００１】  本発明は、木等の棒状物やフェンス等のネット状物等に固定保持させたり、或は手で持ったり腰のベルトで携行したりして使用するゴミ箱を形成する為のゴミ袋保持用枠に関するものである。
【背景技術】
【０００２】  本発明に関連し現在までに把握している先行技術文献は次の通りである。
▲１▼実開昭５５−１７６２０１、▲２▼実開平０５−２６９０５、▲３▼実開平０７−９１７、▲４▼実登３０６５１６１、▲５▼特開平０６−７２５０１、▲６▼特開平１０−７２１０１、▲７▼特開平１０−１４７４０１、▲８▼特開平１０−１５２２０５、▲９▼特開平１０−３２９９０５、▲１０▼特開平１１−２２７９０１、▲１１▼特開２００２−２８４３０１、▲１２▼特開２００３−４８６０１、▲１３▼特開２００５−１１９７９０、【０００３】  上記▲１▼〜▲１３▼の文献は本発明と関連あると考えられる文献であるが、ゴミ袋を枠に係止する方法が本発明方法とは異なっている。更にその内の▲３▼実開平０７−９１７、▲４▼実登３０６５１６１、▲５▼特開平０６−７２５０１、▲８▼特開平１０−１５２２０５、▲１１▼特開２００２−２８４３０１はゴミ箱として使用時にその安定化のため支持脚等を使用し支えていて、本発明の方法とは異なっている。又、▲１▼実開昭５５−１７６２０１、▲２▼実開平０５−２６９０５、▲６▼特開平１０−７２１０１、▲７▼特開平１０−１４７４０１、▲９▼特開平１０−３２９９０５、▲１０▼特開平１１−２２７９０１、▲１２▼特開２００３−４８６０１、▲１３▼特開２００５−１１９７９０は支持脚等での支えはないが、ごみ袋を枠に係止する方法が違ったり、ゴミ箱を支持や保持する方法が違ったりしている。なお、▲２▼実開平０５−２６９０５にはゴミ箱を棒状物に紐で縛った例も見られるが、枠の形成法や紐を枠へ取付ける方法等が本発明とは異なっており、その為ゴミ袋の開口部の向きが上向きでなく横向きとなっていてゴミが入れ難く使いにくい。
以上の様に▲１▼〜▲１３▼の先行技術文献は本発明とは構造や構成等を異にするものである。
【発明の開示】
【発明が解決しようとする課題】
【０００４】  従来の屋外で使用するゴミ箱類は、風等で簡単に倒れたり飛ばされたり破損したりしない様にスチール等でかなりしっかりと作られている。そのため重く嵩張っているが安定なものである。しかし、その置き場所を変えたり撤去処分したい時などは簡単には出来ず不便な時が多々ある。【０００５】  したがって、本発明は、風等の外力があっても簡単には飛ばされたり倒れたりせず、又いろいろの場所で使用出来、且つその設置や撤去、場所の移動、持ち運び、ゴミの投入等が容易で、更にはゴミ袋の着脱処理等が簡便なゴミ箱用のゴミ袋保持用枠を提供する事を目的としたものである。
【課題を解決するための手段】
【０００６】  本発明は上記課題を、帯状のシート状物９を中空筒状の環状形状物３に形成し、その環状形状物３にゴミ袋８を係止する為のスリット状の切込み６、並びにその切込み６に連接させガイド穴７を設ける方法により解決した。【０００７】  更に、上記環状形状物３の側面部に、ゴミ箱１を固定保持する為の紐状物５を通すヒモ穴４を設ける方法により解決した。【０００８】  更には、上記帯状のシート状物９を中空筒状の環状形状物３に形成するに際し、そのシート状物９の両端部を接合せず切離した状態のままで中空筒状の環状形状物３を形成し、その環状形状物３の大きさが可変となる様にする方法により解決した。【０００９】  更には、ゴミ箱１をゴミ袋保持用の枠２とゴミ袋８とから形成する場合、枠２はゴミ袋８の上端開口部分に装着するが、そのゴミ袋８の下部外周部分にも装着する方法により解決した。
【発明の効果】
【００１０】  帯状のシート状物９にて中空筒状の環状形状物３を形成する工夫及びその環状形状物３の側面部に切込み６やガイド穴７等を設ける工夫等を行った結果、次のような効果が得られた。【００１１】  本発明の枠２使用のゴミ箱１は、帯状の環状形状物３から成る枠２とゴミ袋８との構成であるので、シンプルで軽く嵩張り感がなく持ち運びにも適し、設置スペースも多くを要せず、製造コストも廉価な、大変使い易いゴミ箱である。【００１２】  ゴミ袋８の枠２への着脱は、切込み６とガイド穴７の工夫により大変容易に行う事が出来る。又、切込み６は細長いスリット状であるので、係止されたゴミ袋８はしっかり保持されゴミの重さ等でズレたり外れたりする事はなく安心して使用出来る。【００１３】  使用時のゴミ箱１の保持や固定は、紐状物５やフック１２等を使用し支柱類等、例えば木、電柱、ポール、テーブル脚、家具類に付属の棒状形状物、或はフェンスの金網等のネット状物等に、縛ったり引っ掛けたりして行う。したがって、屋内外のいろいろな場所に設置使用出来る。【００１４】  屋内外のいろいろな場所で使用出来、その際のゴミ袋８の着脱やゴミ箱１の設置撤去等も簡単なので、一定期間での使用、例えば各種イベント、お祭り、運動会、キャンプ、コンサート、花見などには特に好適である。又、災害時の避難先での使用などにも適している。【００１５】  枠２は通常はゴミ袋８の上端開口部に装着し使用するが、強い風が吹いた時などゴミ袋８の下端部分があおられ持上げられる時がある。そうした場合には、枠１をもう１個使用しそれをゴミ袋８の下端部分に装着すれば、吹き上げられる事もなく安定した状態で使用出来る。【００１６】  枠２はその開口部の大きさを変える事も出来るので、ゴミ箱１の大きさも使用場所や使用目的、ゴミ袋の大きさ等に応じ変える事が出来便利である。又、その大きさを変えたり取付け場所を移したりした場合でも、ゴミ投入口となるゴミ袋の開口部は常に上向きになる様に設置できるのでゴミが入れ易く使い易い。【００１７】  枠２の形の工夫、例えば水平断面形状を台形状等にする事により、手で持ったり腰に付けたりしての携行使用にも適したゴミ箱を作る事も出来る。更には、台形状のものなどは手で持って塵取りとしても使用出来るという特徴もある。
【発明を実施するための最良の形態】
【００１８】  風で簡単に飛ばされたり倒されたりせず、いろいろな場所でも使用出来、また持ち運びや移動、ゴミ投入等が簡単で、更にはゴミ袋の着脱等も簡便であるゴミ箱用のゴミ袋保持用枠を得るため種々検討の結果、帯状のシート状物９を使用し中空筒状の環状形状物３を作り、それにゴミ袋８を係止する為のスリット状の切込み６やガイド穴７等を設けて枠２を形成し、それにゴミ袋８を係止する事により目的を達成した。【００１９】  軽くて持ち運びや組み立て等が簡便に出来るものとする為に、帯状のシート状物９を中空筒状に丸め、その中空部分にゴミ袋を入れる構成とした。シート状物９としては、厚紙やプラスチックのシート或はこれらを使用の複合材シート状物、例えばダンボール紙或はダンパネ（商品名）（ダンボール紙と同様な構造のプラスチック製のシート状物）等が好適で、これらの帯状のものを丸めて円形或は多角形或はこれらの組合せ形状等の中空筒状の環状形状物３とした。【００２０】  この環状形状物３にはゴミ袋８を、風とか袋内のゴミの重さ等とかでズレたり外れたりしない様に、しっかりと係止し保持させておく必要がある。その為の方法を種々検討の結果、細長い形状のスリット状の切込み６を環状形状物８の側面部に貫通状に設け、これにゴミ袋８を挟み込み係止させれば目的を達する事を見出した。この構造であれば、ゴミ袋８を外したい時はこの挟み込み係止している部分を引っ張れば容易に外す事が出来る。【００２１】  切込み６は細長いスリット状なので、ゴミ袋８の係止がやり難い時がある。その為、切込み６に連接しガイド穴７を設けておけばスムーズにゴミ袋８を切込み６に係止できる事をも見出した。ガイド穴７としては、細長いスリット状でないもの、即ち指の大きさ程度の丸形状や多角形状或はそれらの組合せ形状等をした貫通穴を、切込み６に連接させ設ける。【００２２】  ゴミ箱１は手で持ったり棒状物やネット状物等の支柱となるものに係止や固定保持させたりして使用する。その係止や固定保持の方法としてはフック類で係止する方法や紐状物で縛る方法等がある。両方法ともゴミ袋８の開口部を上向き状態に設置でき、フック類を使用し係止する場合には、支柱となるものにあらかじめ紐状、帯状、バンド状物等を装着しておき、これにフック類を介してゴミ箱を係止する。【００２３】  紐状物５で縛る方法の場合には、環状形状物３の側面部にヒモ穴４を設け、ここに紐状物５を通し、この紐状物５を支柱類に縛りゴミ箱１を固定保持させる。この紐状物５で縛れば、バンド状物等をあらかじめ支柱類に装着の必要はないというメリットがある。ヒモ穴４は紐状物５を通す事が出来る形状や大きさであって、その個数は複数個、例えば２個や４個等を隣合せて設けておけば使い易い。紐状物５としては荷造り用のヒモ等を必要長さ切断し使用する。【００２４】  更には、使用場所や使用目的等に応じたゴミ箱の大きさや形状等の工夫や、風が強い時でも安心して使用出来る工夫等も行った。それらも含め、以下、実施例にもとづき本発明について更に説明する。
【実施例１】
【００２５】  本実施例は帯状のシート状物として厚紙を使用し中空円形状の環状形状物３を形成し、その環状形状物３に切込み６、ガイド穴７、ヒモ穴４とを設けてゴミ袋８保持用の枠２を形成させた実施例である。ゴミ袋８としては家庭で使用のゴミ入れ用のポリ袋を使用した。【００２６】  図１〜図６に本実施例図を示す。図１はゴミ袋８保持用の枠２の斜視図を、図２はゴミ袋８係止用の切込み６とガイド穴７との拡大図（図２の（イ））及びそのＸ−Ｘ’断面図（図２の（ロ））を、図３は紐状物５をヒモ穴４に通した図を、図４は枠２へゴミ袋８を装着させる際の配置図を、図５は枠２にゴミ袋８を装着させ形成のゴミ箱１の斜視図を、図６はそのゴミ箱１の使用状態の写真を示す。【００２７】  枠２の形成方法について説明する。まず、厚紙を使用した細長い帯状のシート状物にて、水平断面形状が円形の中空筒状の環状形状物３を作る。この環状形状物３の側面部に切込み６、ガイド穴７、ヒモ穴４を図１に示す様に設け枠２を形成する。【００２８】  ヒモ穴４は、荷造り用の紐を通す事が出来る大きさの円形の貫通穴を４個、図１に示す様に設ける。切込み６は、細長いスリット状の切込みを４箇所に、ヒモ穴４の位置を避けて大略等間隔になる様に設ける。ガイド穴７は、指が通る程度の大きさの円形状貫通穴を各切込み６の中央部分に設ける。その拡大図を図２の（イ）に、そのＸ−Ｘ′断面図を図２の（ロ）に示す。図２に示す様に、切込み６もガイド穴７と同様に環状形状物３を貫通する様に切込んで設けると共に、その切込み６の切込みとガイド穴７の穴とがつながった状態、即ち連接した状態である様に設ける。【００２９】  以上の様にして形成の枠２に、図３〜図５に示す様に、紐状物５及びゴミ袋８を装着してゴミ箱１とする。紐状物５としては荷造り用紐を２本使用する。１本の紐はヒモ穴４の左上と右下の穴に、もう１本の紐は左下と右上のヒモ穴４に、２本の紐が環状形状物３の内側で交差した形となる様に装着する。それを枠２の内側から見た状態を図３に、外側から見た状態を図４に示す。この様に装着された紐状物５にて環状形状物３の外側側面部を棒状物やネット状物に縛り付け使用する。２本の紐は必ずしもこの様に交差させなくてもゴミ箱を保持出来るが、この様に交差状態で装着しておけばその保持安定性がさらに一層良くなる。【００３０】  ゴミ袋８の枠２への装着は、図４〜図５に示す様に、ゴミ袋８を枠２の内側に矢印の方向へ挿入し装着する。その際、ゴミ袋８の開口部の方が上向きになる様に入れ、更にその開口部の端部を外側に折り返して枠２を覆う様に被せる。その枠２を覆ったゴミ袋８の折返し部分において、ガイド穴７を覆った部分に指を当てゴミ袋８をガイド穴７に押し込み枠２の内側まで押し出す。こうして内側へ出てきたゴミ袋８を引っ張りながら切込み６′食い込ませるようにして挟み込み係止する。【００３１】  この様にして挟み込まれたゴミ袋８は、切込み６が細長いスリット状に設けてあるので安定感ある係止状態となる。なお、ガイド穴７を切込み６の中央部分に設けたので、切込み６はガイド穴７の左右に分かれているが、係止はそのどちらでも或は両方を使ってやってもよい。又、本例ではガイド穴７を切込み６の中央部分���設けたが端部等に設けても連接した状態であれば特に支障はない。【００３２】  図５に以上の様にして形成のゴミ箱１の斜視図を示す。同図に示す挟み込まれ部１１は、ゴミ袋８が切込み６に食い込み挟み込まれた状態を示すものである。図６には、そのゴミ箱１を紐状物５にてポールに縛り使用中の写真を示す。この様にゴミ箱１の固定保持は紐状物５で縛るだけでよいので、ポールだけでなく木や電柱、机類の脚、家具類の支柱等、更にはフェンスの金網等のネット状物であってもゴミ箱１の支持物として使用出来る。したがって、屋内外を問わずいろいろの場所で使用でき便利である。【００３３】  ゴミ箱１の撤去は紐状物５を解けばよいので簡単である。又、ゴミ袋８の取替えも簡単で、ゴミ袋８の挟み込まれ部１１の部分を外側の方へ水平方向に引っ張れば外れる。新しいゴミ袋８の係止は［００３０］に記載の方法に従い行う。この様に取付け撤去等が簡単で、しかも軽くて嵩張り感のないゴミ箱なので、設置場所の変更等も手軽に出来るし、その際の持ち運び等も大変楽に出来て使い易い。腰に縛ったり手に持ったりすれば携帯用ゴミ箱としても使用できる。【００３４】  なお、ゴミ箱１は環状形状物３の側面部のヒモ穴４に通した紐状物５で支持物に縛り付けられるので、環状形状物３の側面部即ち枠２の側面部が支持物に接する様に縛り付けられ保持される。したがって、ゴミ袋８の開口部は常に上向き状態で設置され、ゴミ投入が大変やり易く且つ見栄えも良い。
【実施例２】
【００３５】  本実施例は帯状のシート状物としてダンボール紙を使用し環状形状物３を形成した例で、実施例１と異なる主な点は、厚紙の代わりにダンボール紙を使用した点、環状形成物３を円形状でなく多角形状とした点、環状形状物３の大きさを可変とした点、ガイド穴７の形状を菱形状の多角形状とした点等である。【００３６】  図７及び図８に本実施例の図を示す。図７は、ダンボール紙をカットし帯状のシート状物９とし、それにヒモ穴４、切込み６、ガイド穴７を設けたものである。図８は、図７のシート状物９を丸めて１２角形の中空筒状の環状形状物３を形成し、それに紐状物５を装着し枠２としたものの斜視図である。【００３７】  本発明のゴミ箱の大きな特徴は、使用場所やゴミ袋サイズ等に応じその大きさを変える事が出来る点で、本実施例はその大きさを大・中・小の３種類に変える事が出来る様にした例である。まず、図７に示す様に、シート状物９に１２本の折り目１０を大略等間隔になる様に付けて１３面に区分する。その両端部の面、右端のＡ面及び左端のＢ面にそれぞれ円形のヒモ穴４を実施例１の要領で４個貫通させる。更に、左端のＢ面のふたつ右隣のＣ面及び更にそのふたつ右隣のＤ面にも同様にヒモ穴４を４個づつ貫通させる。その際、Ｂ面、Ｃ面、Ｄ面のヒモ穴４はその位置及び大きさ等をＡ面のそれと対応させておき、Ａ面と重ね合わせた時紐状物５が両面のヒモ穴４をスムーズに通る様にしておく。【００３８】  又、切込み６及びガイド穴７を、Ａ面とＤ面との間の面に４ヶ所、及びＢ面とＣ面との間の面に１ヶ所、Ｃ面とＤ面との間の面に１ヶ所、合計６箇所、図７に示す様に設ける。切込み６は実施例１と同様の細長いスリット状のものを各面の中央部分に、又ガイド穴７は菱形状の貫通穴を実施例１同様に切込み６の中央部分に設ける。【００３９】  この様にして得られた図７のシート状物９を、図８に示す様に、１２箇所の折り目１０を利用し中空筒状とする。その際、シート状物９の両端部は接合せず切離した状態のままとしておき、両端のＡ面とＢ面とを重ね合わせて１２角形の環状形状物３を形成させる。この重ね合わせたＡ面とＢ面のヒモ穴４に２本の紐状物５をＢ面の内側で交差させた形（実施例１の図３参照）で通せば、図８に示す枠２が形成される。紐状物５としては断面が丸形の荷造り紐を使用した。なお、ゴミ袋を装着する時はＡ面とＢ面とは密着させる。【００４０】  この枠２の中空部分に実施例１の要領でゴミ袋８を装着し、その上端開口部の折返し部分をガイド穴７を介して切込み６に挟み込み係止すればゴミ箱となる。切込み６は６箇所に設けてあるが、その内の４箇所程度を枠２の大きさに応じ使用すればゴミ袋８を安定係止出来る。このゴミ箱の棒状物やネット状物への取付け取外しは、紐状物５を使用して実施例１と同様の要領で行う。【００４１】  ゴミ箱の大きさを変えたい時は、例えば一番小さいサイズで使いたい時はＡ面とＤ面とを重ね合わせる。Ａ面とＣ面とを重ね合わせると中間の大きさとなる。この様に枠２を伸縮させても切込み６は６ヶ所に設けてあるので、その内の４ヶ所程度を使用すればゴミ袋８は安定して係止出来る。また、ヒモ穴４も紐状物５が重ね合わせた面の穴をスムーズに通る様に対応させ設け���あるので、枠２の形成やゴミ箱の設置に支障をきたす事はない。
この様にして形成の本実施例のゴミ箱の使い勝手や特徴等は、ゴミ箱の大きさが可変であるという点を除けば、実施例１と同様である。
【実施例３】
【００４２】  本実施例は帯状のシート状物としてプラスチックシート製のダンパネ（商品名）を使用した例で、実施例１と異なる主な点は、厚紙の代わりにダンパネを使用した点、環状形状物３を多角形状物とした点、ヒモ穴４を設けない点、切込み６の設け方やガイド穴７の形状と設け方が異なる点等である。図９に本実施例の枠２の斜視図を、図１０にゴミ箱係止保持用のフック１２の斜視図を示す。【００４３】  枠２としては、図９に示す様に、水平断面形状が台形の多角形状をした中空筒状の環状形状物３を使用し、それに切込み６とガイド穴７を設けた。切込み６は、Ｅ面を除いた３つの面の大略中央部分に図９の様に下端の方から中央部分まで垂直に切り込む。その切込み６の下端部に、三角形状のガイド穴７をその三角形の頂点で切込み６と連接する様に設けた。【００４４】  こうして形成の枠２に、実施例１と同じ要領でゴミ袋８を係止装着すればゴミ箱が得られる。ゴミ袋８の切込み６への係止は実施例１の方法に準じて行うが、ゴミ袋８の上端の折返し部をまずガイド穴７に押し込み、その押し込まれて環状形状物３の内側の方へ出てきたゴミ袋８の部分を引き上げる様に引っ張れば、切込み６に挟み込まれ安定係止される。切込み６はこの様に垂直状に切り込んでも、実施例１や２の様に水平状であっても、或は斜め状であっても特に支障ない。【００４５】  こうして形成のゴミ箱は、手で持ったり腰に係止し携行使用するのに適している。手で持つ場合はＥ面部分が持ち易く、携行式の移動ゴミ箱として重宝である。腰に係止の場合は、図１０の様なフック１２（Ｕ字形と逆Ｕ字形とを一体化したような形状のフック）が好適で、これを使用し腰のベルト等に係止保持させればこれも移動式ゴミ箱として使い易い。【００４６】  フック１２はＵ字と逆Ｕ字とを接合した様な形なので、図１０に示す様に、フック１２には開口部が互いに逆向きの状態の窪み（凹部）部（イ）と（ロ）とがある。これを利用し、（イ）の方に枠２のＥ面部を、（ロ）の方に腰のベルトを差し込む様にすれば、ゴミ箱は腰ベルトに係止保持される。その際、フック１２を介して枠２の側面部と腰ベルトの面とが向き合った状態となるので、ゴミ箱の開口部は上向きの状態で係止される。【００４７】  また、ポールや木、電柱、机類の脚、家具類の支柱等、更にはフェンスの金網等のネット状物等に保持させたい時は、腰のベルトの様なバンド状物或は帯状物、紐状物等をそれらにあらかじめ巻いたりして装着しておき、それに腰ベルトの時と同様な要領でフック１２を使用し係止すれば保持出来る。【００４８】  更には、本実施例の図９に示す枠２で形成のゴミ箱も、枠２のＥ面部分にヒモ穴４を設けそこに紐状物５を通し、その紐状物５で支柱やネット状物等に保持させれば、実施例１や２と同様な使い方が出来る。なお、このヒモ穴４を設けた場合でも、その枠２の保持を紐状物５でなくフック１２で行っても支障ない。【００４９】  本実施例のゴミ箱も使い方や特徴等は実施例１と同様であるが、台形状の枠２を使用している為に携帯用としても使い易いし、また塵取りとしても使える。腰ベルトに係止すれば携帯用として便利であり、その場合、枠２が台形状をしていて腰の方で幅狭くなっているので、作業��に手や肘等がゴミ箱に当りにくく大変使い易い。また、Ｅ面の部分を手で持ちその反対側の面を地面に接地した状態に置けば、ゴミ投入用の開口部が塵取りの掃き込み口ともなり、塵取りとしても使え大変便利である。
【実施例４】
【００５０】  本実施例は、実施例１においてゴミ袋保持用の枠を２ヶ使用した例である。使用材料やゴミ袋保持用枠等は実施例１と同様である。図１１に、枠２を２ヶ使用し形成の本実施例ゴミ箱１の斜視図を示す。【００５１】  実施例１においては、ゴミ箱１の形成時に枠２はゴミ袋８の上端開口部のみに装着した。通常の使用時はこれでよいが、風の強い屋外などの時はゴミ袋８の下端部分が風であおられ吹き上げられる時があり気になるものである。【００５２】  そこで種々検討の結果、ゴミ袋保持用枠をもうひとつゴミ袋８の下部に使用すれば効果的である事を見出した。  即ち、図１１に示す様にゴミ袋８の下部外周部分に枠２をもう１ヶ装着するのである。使用したゴミ箱及び枠は実施例１と同じものを使用した。【００５３】  こうして形成のゴミ箱１を、実施例１と同様にして紐状物５でポールに固定保持させれば、下端に装着の枠２の効果で多少の風があっても安定している。しかし、風が相当強い時はそれでも吹き上げられる時がある。その時は、下部に装着の枠２のヒモ穴４に紐状物５を通しポールに縛り付ける。そうすると強い風に対しても大丈夫となる。【００５４】  その風対策で取り付ける枠２は、ゴミ等で汚れたり或はゴミと一緒に誤って処分したりする事のない様に、ゴミ袋８の中でなく外周部分に装着する。外周部分だと装着もやり易く、又汚れたり紛失したりする事もないので繰返して使用する事も出来る。
以上の様にして形成の本実施例のゴミ箱の使い勝手や特徴等は、風に対して安定化した事を除けば実施例１と同様である。
【図面の簡単な説明】
【００５５】
【図１】実施例１に示す本発明のゴミ袋保持用枠の斜視図。
【図２】同上枠に設けた切込みとガイド穴の拡大図及びそのＸ−Ｘ′断面図。
【図３】同上枠に設けたヒモ穴に紐状物を通した図。
【図４】同上枠へゴミ袋を装着する際の配置図。
【図５】実施例１に示す本発明ゴミ箱の斜視図。
【図６】本発明ゴミ箱の使用例を示す写真。
【図７】実施例２に示す本発明のシート状物。
【図８】実施例２に示す本発明のゴミ袋保持用枠の斜視図。
【図９】実施例３に示す本発明のゴミ袋保持用枠の斜視図。
【図１０】ゴミ箱係止保持用のフックの斜視図。
【図１１】ゴミ袋保持用枠を２ヶ使用した実施例の斜視図。
【符号の説明】
【００５６】１、ゴミ箱
２、枠
３、環状形状物
４、ヒモ穴
５、紐状物
６、切込み
７、ガイド穴
８、ゴミ袋
９、シート状物
１０、折り目
１１、挟み込まれ部
１２、フック
【図１】
2008069007.tif 000003
【図２】
2008069007.tif 000004
【図３】
2008069007.tif 000005
【図４】
2008069007.tif 000006
【図５】
2008069007.tif 000007
【図６】
2008069007.tif 000008
【図７】
2008069007.tif 000009
【図８】
2008069007.tif 000010
【図９】
2008069007.tif 000011
【図１０】
2008069007.tif 000012
【図１１】
2008069007.tif 000013